(57)【特許請求の範囲】
【請求項１】
透明な板状体を成す本体部の縁に透明な係止爪部が突設され、前記本体部の裏面に印刷が施されて成る電子機器筐体のデコレーションウィンドにおいて、前記係止爪部が突設される側の本体部縁近傍の裏面に当該縁に沿って黒色帯領域が形成され、前記本体部縁の側面に前記黒色帯領域が写り込むことで前記係止爪部が配置されている箇所以外も該デコレーションウィンドの斜視時に黒く見えることを特徴とする電子機器筐体のデコレーションウィンド。
【請求項２】
請求項１に記載の電子機器筐体のデコレーションウィンドにおいて、黒色帯領域は印刷によって形成されたことを特徴とする電子機器筐体のデコレーションウィンド。
【発明の詳細な説明】
【０００１】
【産業上の利用分野】
この発明は、例えば、ＶＴＲ（ビデオテープレコーダ）などの電子機器筐体に利用されるデコレーションウィンドに関する。
【０００２】
【従来の技術】
図６は、ＶＴＲフロントカバー部に設けられる従来のデコレーションウィンド１１を示した正面図である。このデコレーションウィンド１１は、透明の板状体を成す本体部１１ａの下側縁に透明の係止爪部１１ｂが突設され、前記本体部１１ａの裏面には文字等が印刷されて成るものである。本体部１１ａの裏面に印刷された文字は、透明な本体部１１ａを通して見られることになり、透明奥行き感が出て高級感を高めることができる。
【０００３】
【発明が解決しようとする課題】
しかしながら、デコレーションウィンド１１をＶＴＲフロントカバー部に装着した状態では、図５（ａ）（ｂ）に示すように、斜め約４５°上方からデコレーションウィンド１１を見ると、係止爪部１１ｂの配置箇所以外の本体部１１ａの下側角部が白っぽく見えるのに対し、係止爪部１１ｂの配置箇所が黒く見えることになり、穴空き感が生じて高級感が損なわれる。このような現象は、ＶＴＲフロントカバー部にアルミ蒸着箔を施して金属感を持たせているなど、ＶＴＲフロントカバー部が白っぽい塗装色である場合に特に顕著となる。これは、係止爪部１１ｂの配置箇所以外の本体部１１ａの下面に面するＶＴＲフロントカバー部の塗装色の影響等でその近傍角部が白っぽく見え、係止爪部１１ｂの配置箇所ではＶＴＲフロントカバー部の奥側暗部（装置内）が見えるためである。
【０００４】
このような現象の対応策として、図７に示すように、デコレーションウィンド２１において、係止爪部２１ｂを本体部２１ａの上側に設ける構成、或いは、図８（ａ）（ｂ）に示すように、デコレーションウィンド３１には係止爪部を設けずに、ＶＴＲフロントカバー部３２に内リブ３２ａを設けておき、これを位置決めとしてデコレーションウィンド３１を取り付ける構成がある。しかしながら、前者の構成では、通常の使用形態では係止爪部２１ｂの配置箇所が黒く見えることはないが、デコレーションウィンド２１を下側から見上げるような使用状態では、係止爪部２１ｂの配置箇所が黒く見えてしまうことになり、根本的な解決にはならない。また、後者の構成では、係止爪部がないため、デコレーションウィンド３１の浮き防止や外れ防止の点で不十分となる。
【０００５】
この発明は、上記の事情に鑑み、係止爪部を有する構成を採用しつつその存在による斜視外観不具合を軽減することができる電子機器筐体のデコレーションウィンドを提供することを目的とする。
【０００６】
【課題を解決するための手段】
この発明における電子機器筐体のデコレーションウィンドは、上記の課題を解決するために、透明な板状体を成す本体部の縁に透明な係止爪部が突設され、前記本体部の裏面に印刷が施されて成るデコレーションウィンドにおいて、前記係止爪部が突設される側の本体部縁近傍の裏面に当該縁に沿って黒色帯領域を形成したことを特徴とする。
【０００７】
上記の構成であれば、本体部縁近傍の裏面に黒色帯領域が形成されたことによって、係止爪部が配置されている箇所以外でも斜視外観において黒っぽく見えることになり、係止爪部の配置箇所が黒っぽく見えることとの差異が無くなる結果として、係止爪部の配置箇所の穴空き感が無くなり、高級感が損なわれるのが防止される。
【０００８】
黒色帯領域は印刷によって形成されるのがよい。これによれば、本体部の裏面に印刷を施すときに黒色帯領域を形成することができ、黒色帯領域を形成するために専用の別工程を必要としない利点がある。
【０００９】
【発明の実施の形態】
以下、この発明の実施形態における電子機器筐体のデコレーションウィンドを図１乃至図４に基づいて説明する。図１はこの発明の実施形態のデコレーションウィンド１を示した正面図であり、図２（ａ）は同デコレーションウィンド１の側面図であり、同図（ｂ）は同図（ａ）の矢示Ａ部の拡大図であり、図３（ａ）はデコレーションウィンド１の裏面印刷用の版下３の平面図であり、同図（ｂ）は比較の為に示した従来の版下４の平面図であり、図４（ａ）はデコレーションウィンド１の斜め上からの観察の様子を示し、同図（ｂ）にはそのときの見え方を模式的に示している。
【００１０】
この実施形態のデコレーションウィンド１は、ＶＴＲフロントカバー部２に用いられるものであり、透明な板状体を成す本体部１ａの縁に透明な係止爪部１ｂが一体的に形成され、本体部１ａの裏面には印刷が施されたものである。前記係止爪部１ｂは、本体部１ａの下縁側の略中央部に配置されており、本体部１ａの厚みよりも薄く、その裏面は本体部１ａの裏面と面一になっている。係止爪部１ｂは、ＶＴＲフロントカバー部２に形成された係止凹部２ａに嵌められる。
【００１１】
前記係止爪部１ｂが突設される側の本体部縁近傍の裏面には、当該縁に沿って黒色帯領域１ｃが形成されている。この黒色帯領域１ｃは、例えば、黒くて細い粘着テープの貼付などによって形成することもできるが、この実施形態では、図３（ａ）に示した版下３による印刷によって形成している。版下３には、各種文字や図形に対応した印刷領域（ＳVHS の文字等の領域) が形成されていると共に、黒色帯領域１ｃを形成するための印刷領域３ａが形成されている。
【００１２】
上記のごとく黒色帯領域１ｃが形成されたデコレーションウィンド１をＶＴＲフロントカバー部に備えることにより、図４（ａ）（ｂ）に示しているように、その斜め上からの観察状態において、係止爪部１ｂが配置されている箇所以外でも黒っぽく見えることになり、係止爪部１ｂの配置箇所が黒っぽく見えることとの差異が無くなる結果として、係止爪部１ｂの配置箇所の穴空き感が無くなり、高級感が損なわれるのが防止される。また、本体部１ａの裏面に印刷を施すときに黒色帯領域１ｃを形成しているので、黒色帯領域１ｃを形成するために専用の別工程を必要としない利点がある。
【００１３】
なお、以上説明した実施形態においては、本体部１ａの下縁に係止爪部１ｂを形成したデコレーションウィンド１について説明したが、本体部の上縁に係止爪部が形成されたデコレーションウィンドについても、この発明を適用することができる。また、ＶＴＲフロントカバー部２に用いられるデコレーションウィンド１を示したが、他の電子機器筐体に用いられるデコレーションウィンドについてもこの発明を適用することができる。
【００１４】
【発明の効果】
以上説明したように、この発明によれば、本体部縁近傍の裏面に黒色帯領域が形成されたことによって、係止爪部の配置箇所の穴空き感が無くなり、高級感が損なわれるのが防止される。また、黒色帯領域を印刷によって形成することにより、本体部の裏面に印刷を施すときに黒色帯領域を形成することができ、黒色帯領域を形成するために専用の別工程を必要としない利点がある。
【図面の簡単な説明】
【図１】この発明の実施形態のデコレーションウィンドを示した正面図である。
【図２】同図（ａ）はこの発明の実施形態のデコレーションウィンドの側面図であり、同図（ｂ）は同図（ａ）の矢示Ａ部拡大図である。
【図３】同図（ａ）はこの発明の実施形態のデコレーションウィンドにおける裏面印刷用の版下であり、同図（ａ）は従来のデコレーションウィンドにおける裏面印刷用の版下である。
【図４】同図（ａ）はこの発明の実施形態のデコレーションウィンドの斜視観察状態を示した説明図であり、同図（ｂ）はその見え方を示した説明図である。
【図５】同図（ａ）は従来のデコレーションウィンドの斜視観察状態を示した説明図であり、同図（ｂ）はその見え方を示した説明図である。
【図６】従来のデコレーションウィンド（係止爪下側配置）を示した正面図である。
【図７】従来のデコレーションウィンド（係止爪上側配置）を示した正面図である。
【図８】同図（ａ）は従来のデコレーションウィンド（係止爪無し）を示した正面図であり、同図（ｂ）は断面図である。
【符号の説明】
１    デコレーションウィンド
１ａ  本体部
１ｂ  係止爪部
１ｃ  黒色帯領域
２    ＶＴＲフロントカバー部
３    版下
【図１】
0003946001.tif 000002
【図２】
0003946001.tif 000003
【図３】
0003946001.tif 000004
【図４】
0003946001.tif 000005
【図５】
0003946001.tif 000006
【図６】
0003946001.tif 000007
【図７】
0003946001.tif 000008
【図８】
0003946001.tif 000009